【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
少なくとも２つの分離したＲＦチャネルを用いてデータを送信するための送信装置であって、
送信されるデータのデータストリームを２以上のストリームパーティションに分割するように構成されるデータストリーム分割器と、
ストリームパーティションをそれぞれ受信し、前記受信されたストリームパーティションから変調データを生成するように構成される２以上の変調器と、
変調後の２つの異なるストリームパーティションから偶数インデックスの２つのシンボル又はセルの入力ベクトルとの乗算のための行列Ｖ（ｅｖｅｎ）を適用し、変調後の２つの異なるストリームパーティションから奇数インデックスの２つのシンボル又はセルの入力ベクトルとの乗算のための行列Ｖ（ｏｄｄ）を適用することによって、各ＲＦチャネル上で異なるストリームパーティションからの前記変調データが送信されるように、前記受信されたストリームパーティションから前記２以上の変調器によって生成された前記変調データを、送信用の異なるＲＦチャネルに割り当てるように構成されるセル交換回路と
【数１】
2018503298.tif 000001
を具備する送信装置。
【請求項２】
請求項１に記載の送信装置であって、
前記データストリーム分割器は、前記データストリームをＮ個のストリームパーティションに分割するように構成され、
前記送信装置は、単一のストリームパーティションを受信するようにそれぞれ構成されるＮ個の変調器を具備する
送信装置。
【請求項３】
請求項１に記載の送信装置であって、
前記データストリーム分割器は、送信されるデータの少なくとも２つのデータストリームを受信し、前記データストリームを２以上の各ストリームパーティションに分割するように構成され、
前記２以上の変調器は、少なくとも２つの異なるデータストリームから少なくとも１つのストリームパーティションをそれぞれ受信するように構成される
送信装置。
【請求項４】
請求項３に記載の送信装置であって、
前記２以上の変調器は、各データストリームから１つのストリームパーティションをそれぞれ受信するように構成される
送信装置。
【請求項５】
請求項１に記載の送信装置であって、
前記データストリーム分割器は、送信されるデータのデータストリームを２以上のストリームパーティションに等しく分割するように構成される
送信装置。
【請求項６】
請求項１に記載の送信装置であって、
前記セル交換回路は、異なるモードで動作するように構成される
送信装置。
【請求項７】
請求項６に記載の送信装置であって、
前記セル交換回路は、前記受信されたストリームパーティションから前記変調器によって生成された前記変調データを、送信用の異なるＲＦチャネルに割り当てるように動作するチャネルボンディングモードで動作するように構成される
送信装置。
【請求項８】
少なくとも２つの分離したＲＦチャネルを用いてデータを送信するための送信方法であって、
送信されるデータのデータストリームを２以上のストリームパーティションに分割し、
２以上の各変調器によってストリームパーティションをそれぞれ受信し、
前記受信されたストリームパーティションから変調データを生成し、
変調後の２つの異なるストリームパーティションから偶数インデックスの２つのシンボル又はセルの入力ベクトルとの乗算のための行列Ｖ（ｅｖｅｎ）を適用し、変調後の２つの異なるストリームパーティションから奇数インデックスの２つのシンボル又はセルの入力ベクトルとの乗算のための行列Ｖ（ｏｄｄ）を適用することによって、各ＲＦチャネル上で異なるストリームパーティションからの前記変調データが送信されるように、前記受信されたストリームパーティションから前記２以上の変調器によって生成された前記変調データを、送信用の異なるＲＦチャネルに割り当てる
【数２】
2018503298.tif 000002
送信方法。
【請求項９】
少なくとも２つの分離したＲＦチャネルを介してデータストリームのデータを受信するための受信装置であって、
少なくとも２つの分離したＲＦチャネルを介して受信されたデータストリームのデータを受信するように構成され、前記データストリームのストリームパーティションのデータは、少なくとも２つのＲＦチャネルを介して送信され、異なるＲＦチャネルを介して送信された２つの異なるストリームパーティションから偶数インデックスの２つのシンボル又はセルの入力ベクトルとの乗算のための行列Ｖ（ｅｖｅｎ）を適用し、異なるＲＦチャネルを介して送信された２つの異なるストリームパーティションから奇数インデックスの２つのシンボル又はセルの入力ベクトルとの乗算のための行列Ｖ（ｏｄｄ）を適用することによって、異なるＲＦチャネルを介して送信された同一のストリームパーティションに属するデータを異なる復調器に割り当てるように構成されるセル再交換回路と、
【数３】
2018503298.tif 000003
前記セル再交換回路からデータをそれぞれ受信し、前記受信されたデータから復調データを生成するように構成される２以上の復調器と、
前記２以上の復調器の復調データをデータストリームに結合するように構成される
データストリーム結合器と
を具備する受信装置。
【請求項１０】
請求項９に記載の受信装置であって、
前記受信装置は、Ｎ個のストリームパーティションからデータをそれぞれ受信するＮ個の復調器を具備し、
前記データストリーム結合器は、前記Ｎ個の復調器からの復調データを前記データストリームに結合するように構成される
受信装置。
【請求項１１】
請求項９に記載の受信装置であって、
前記セル再交換回路は、異なるモードで動作するように構成される
受信装置。
【請求項１２】
請求項１１に記載の受信装置であって、
前記セル再交換回路は、異なるＲＦチャネルを介して送信された同一のストリームパーティションに属する前記データを、異なる復調器に割り当てるように動作するチャネルボンディングモードで動作するように構成される
受信装置。
【請求項１３】
少なくとも２つの分離したＲＦチャネルを介してデータストリームのデータを受信するための受信方法であって、
少なくとも２つの分離したＲＦチャネルを介してデータストリームのデータを受信し、前記データストリームのストリームパーティションのデータは、少なくとも２つのＲＦチャネルを介して送信され、
異なるＲＦチャネルを介して送信された２つの異なるストリームパーティションから偶数インデックスの２つのシンボル又はセルの入力ベクトルとの乗算のための行列Ｖ（ｅｖｅｎ）を適用し、異なるＲＦチャネルを介して送信された２つの異なるストリームパーティションから奇数インデックスの２つのシンボル又はセルの入力ベクトルとの乗算のための行列Ｖ（ｏｄｄ）を適用することによって、異なるＲＦチャネルを介して送信された同一のストリームパーティションに属するデータを異なる復調器に割り当て、
【数４】
2018503298.tif 000004
データを２以上の復調器によってそれぞれ受信し、
前記受信されたデータから復調データを生成し、
前記２以上の復調器の復調データをデータストリームに結合する
受信方法。
【請求項１４】
コンピュータによって実行されると、請求項８に記載の送信方法又は請求項１３に記載の受信方法をコンピュータに実行させるプログラムコードを含むコンピュータプログラム。
【請求項１５】
少なくとも２つの分離したＲＦチャネルを用いてデータを送信するためのシステムであって、
請求項１に記載された、少なくとも１つの送信装置と、
請求項９に記載された、少なくとも１つの受信装置と
を具備するシステム。